(57)【要約】   【課題】  就寝中の使用時に、その最適な枕を自身の頭から外すことなく確実に使用ができて心地良く目覚め、快適に翌朝が迎えられるようにする有効な枕と、それに使用する枕本体の製造方法を提供する。  【解決手段】  矩形体の下端縁中央から上方に向け、頭巾の半分程度の寸法巾部分を先の丈寸法の半分程度のところまで切り落としたものとし、上半分程度の横巾一杯の部分を胴部１１、その左右両側から下方に伸びる部分を夫々足部１２とする平面形略逆Ｕの字状または逆凹の字状のものに形成してなる枕本体１と、該枕本体１の外形全体をやや緊張気味に収容可能とし、各足部１２を収容する部分だけが、その先端方向に収容空間を余し、その長さが夫々前記枕本体足部１２長さの略半分程度に相当するようにして把持操作部２１となし、開閉自在の出し入れ口とする上端縁を除いて袋状に形成してなる伸縮生地製の化粧袋２体とからなる枕である。【選択図】    図２
2006102041.tif 000002
【特許請求の範囲】
【請求項１】
人の仰臥時における両肩を載せるに十分な巾寸法で、頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とする平面形略逆Ｕの字状または逆凹の字状であって、枕に適した厚さ寸法のものに形成してなる枕本体と、該枕本体の外形全体をやや緊張気味に収容可能とし、各足部を収容する部分だけが、その先端方向に収容空間を余し、その長さが夫々前記枕本体足部長さの略半分程度に相当するようにして把持操作部となし、開閉自在の出し入れ口とする上端縁を除いて袋状に形成してなる伸縮生地製の化粧袋体とからなるものとしたことを特徴とする枕。
【請求項２】
人の仰臥時における両肩を載せるに十分な巾寸法で、頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とする平面形略逆Ｕの字状または逆凹の字状であって、枕に適した厚さ寸法のものに形成してなる枕本体と、該枕本体の外形全体をやや緊張気味に収容可能とし、各足部を収容する部分だけが、その先端方向に収容空間を余し、その長さが夫々前記枕本体足部長さの略半分程度に相当するようにして把持操作部となし、開閉自在の出し入れ口とする上端縁を除いて袋状に形成してなる伸縮生地製の化粧袋体と、該化粧袋体に前記枕本体を所定の如く収容した状態で、当該枕本体胴部に相当する化粧袋体部分に着脱自在に組み合わせ可能とする枕カバーとからなるものとしたことを特徴とする枕。
【請求項３】
化粧袋体は、伸縮性ある綿ジャージー製で、その中に枕本体を収めたときに少し延び加減となる大きさに設定され、枕本体に密着状となって全体に一体感のあるものとなるようにした、請求項１または２何れか一項記載の枕。
【請求項４】
人の仰臥時における両肩を載せるに十分な巾寸法で、頭頂部から二の腕全体、肘辺りに至る寸法よりも大きい丈寸法とした筒状のメリヤス生地を、中表にして下端側中央部分を所定巾分だけ下から中程まで切除し、その切り落とした部分の縁を縫い、返して半ズボン状の二股状筒体とし、詰め物を覆う外郭体とした後、枕芯に適した素材からなる詰め物を上記メリヤス製の二股状筒体で胴部となる部分の上端の開放口から中に押し込むように装填し、当該開放口か各足部下端の開放口から適宜手を差し込んで詰め物の厚さが想定した寸法どおりのものになるよう調整した上、それら開放口を縫合してしまい、メリヤス製の袋が伸び加減となって詰め物との間を密着に形成するようにしたことを特徴とする、請求項１ないし３何れか一項記載の枕に使用する枕本体の製造方法。
【発明の詳細な説明】
【技術分野】
【０００１】
この発明は、寝具の一つである枕に関連するあらゆる分野をその技術分野とするものであって、枕を製造、販売する寝具類の分野は勿論のこと、その枕に必要な生地、糸、詰め物などの資材や、止め具類などの部品を提供する分野、それら資材、部品の加工に必要な機械、工具類を提供する分野、またそれら資材や機械装置、部品類に必要な素材、例えば木材、合板、プラスチック、各種金属材料を提供する分野、それらに組み込まれる電子部品やそれらを集積した制御機器の分野、各種計測器の分野、加工機械を動かす動力機械の分野、そのエネルギーとなる電力やエネルギー源である電気、オイルの分野といった一般的に産業機械として総称される分野に包含されるあらゆる分野、更には、それら寝具類や資材、素材、工作機械等を試験、展示、販売、輸出入ならびに使用する分野、将又、それらに伴って発生する切削屑を回収、運搬する回収、輸送の分野、切削屑を効率的に再生利用するリサイクル分野、あるいは現時点で想定できない新たな分野にまでと、関係しない技術分野はない程である。                                                                                      
【背景技術】
【０００２】
（着目点）
情報化社会、情報化産業、情報化技術、ユビキタス時代云々……といったＩＴ関連用語が巷に氾濫する程に、我々の身の回りには、パソコンを操作しさえすれば手軽に得られるインターネット絡みの膨大な情報や、携帯電話から簡単にアクセスして入手可能となる多数のメール情報、その他各種の情報が錯綜、氾濫し、それまでのテレビや新聞、雑誌から送り出されてくる情報だけでも収拾が付かずに困惑気味の日々を過ごしている人々にとって、極めて住み心地の悪い時代がスピードを速めながら確実に進行してきている結果、多くの人々は毎日睡眠不足状態を託っており、これからは情報過多とそれらによるストレスの蓄積とへの対処法が非常に重要な課題となることに疑いはないであろう。
そうした課題の処理法、特にストレスの蓄積を減らしていく上で改めて見直されなければならないのが、誰しもが当たり前として見過ごしている「睡眠」である。
【０００３】
「睡眠」の定義は難しく、一般に周期的に繰り返す生理的な意識喪失状態をいい、同じ意識喪失でも病的な状態での昏睡や麻酔状態等とは区別され、この「睡眠」によって人は身体を休養し、肉体的な疲労を癒して回復させることができると共に、精神的な疲れ、即ちストレスを発散させて爽やかな気分を取り返すことになるという機能が作用すると共に、日中に摂取した食物を消化、吸収して体に必要な血と肉とに変えていくという建設的な機能も果たすこととなり、普通、人の一生で１／３〜４の時間を睡眠に費やしていることになるものの、果たしてどれ程の人が、このように己に深く係わっている「睡眠」に関心をもち、常日頃から「睡眠」環境を整えるための努力をしているのかといえば、恐らくその割合は極めて寂しい限りで、多くの人が殆ど意識もなく眠りに就いているものと考えられ、その結果、最適な睡眠を得られないまま夜明けを迎え、癒されないまま翌日にまで肉体的疲労とストレスとを持ち越してしまっている実情にあり、このような状態は、ストレスが蓄り易い社会だけに、以前よりもなお深刻な問題となり始めているといえる。  
【０００４】
（従来の技術）
「睡眠」環境を整えるための方策の一つに、「寿命三寸、楽四寸」という江戸時代の諺にも伺い知ることができるように、心地よい「睡眠」には欠かせない寝具の一つである枕の良し悪しがあり、使う人に相応しい最適な枕を選択、使用することこそ、実は心地よい「睡眠」をとる極めて重要な条件の一つとなっている。
最適な枕を選択するための条件として、一般に枕の（１）高さ、（２）硬さ、（３）素材、（４）大きさ、（５）種類の五つが取り上げられることが多く、これまでにも、硬さ、素材、大きさ、種類に係わる各種のもの、古くは木枕から安土枕、箱枕、船底枕、そして草枕からソバ殻やヒエを入れた括り枕へと変遷する中で、各人に合った使い心地の良い枕が開発、実用化され、より安眠の得られるような工夫が様々に重ねられ、人々はそれらの中から自分に合ったものを模索、使用していたが、必ずしも人間工学的な見地からは十分とは言えず、最近では、ウレタンフォーム、特に低反発フォームドプラスチックなどのクッション材を主体としたり、あるいはそれらに他の素材を組み合わせた上、頭に接する面の形状も、うなじから後頭部の輪郭に合うように工夫した上、更に寝返りして横臥姿勢になったときにも対応できるようにした、例えば実用新案登録第３０２５４８４号「仰臥、横臥対応枕」考案や実用新案登録第３０５４４８５号「安眠枕」考案、あるいは強制的に横臥姿勢をとって無呼吸症候群に悩む人に善処し得るように工夫した実用新案登録第３００９８４４号「横臥用枕」考案に見られるようなものなどと、理に適った枕が、それまでの伝統的な枕に仲間入りして人気を泊している。
【０００５】
しかし、これら最近流行の枕も、枕から頭が外れないで仰臥あるいは横臥の姿勢のままに大人しくしているときには、当初予定したとおりに枕は確かに頭に馴染んで寝心地は保証されるものの、就寝中の寝返りが激しくて枕が頭から外れてしまうと、それら折角理に適う構造とした枕も頭が載らない以上、その威力は発揮しようがなくなり、そこで、こうした枕が外れる問題に対処しようとしたものも提案されていて、例えば、実用新案登録第３０２０３５４号「肩当て付き羽毛枕」考案などに見受けられるものでは、枕主体部のうなじ側となる下端に、うなじの部分を外した両側からうなじの位置よりも夫々下方に延びて肩の下に入り込むように少し突出させて肩当てとなし、それら肩当てが枕を使ったときに肩に押さえられてしまうことにより、枕全体が就寝中でも頭から外れないように工夫を施したものとしている。
【０００６】
この就寝中の移動を無くすように改良された上記「肩当て付き羽毛枕」考案は、少なくともそれ以前のどの枕に比較しても、確かに就寝中の移動を少なくできる効果の点で秀れていることは一応確認するにはしたけれども、実際に毎日繰り返し使用をしてみると、外れる頻度は少なくなっているものの、やはり外れそうになる現象は止められず、外れそうになったことに気付いて殆ど無意識の中に手を伸ばして引き寄せ、元の位置に戻そうとするが、真っ暗闇の中でしかも意識朦朧としている状態では枕の状態やどの部分を掴んでいるのかが判らず、引き寄せるには引き寄せても両肩当てを元どおり正しく肩の下にした姿勢に戻すことなどは到底不可能であって、起きてみてとんでもない姿勢になった枕を確認することもしばしばであり、それが子供の場合には更にひどく、肩当てがない従前までの枕とあまり違いがない程の状態を呈してしまうことから、結局のところ、この改良した筈の「肩当て付き羽毛枕」考案でも、必ずしも十分所期の目的を達成しているとは言い難いものであった。                                                                                                    
【特許文献１】（１）実用新案登録第３０２５４８４号公報  （２）実用新案登録第３０５４４８５号公報  （３）実用新案登録第３００９８４４号公報  （４）実用新案登録第３０２０３５４号公報
【発明の開示】
【発明が解決しようとする課題】
【０００７】
（問題意識）
そこで、以上のように、近年の社会現象でもあるストレスを減らすという見地から見直され、睡眠環境を整える上で重要視され始めてきている枕が、これまでにも様々な改善が施されてはいるものの、必ずしも提案者の思惑どおりの成果を上げていないか、ある想定した条件下でしか有効に作用しないものでしかなかったことに思いを致し、就寝中の使用時に、誰であっても、それが仮令育ち盛りで最も寝返りが激しい子供達であっても、その最適な枕を自身の頭から外すことなく確実に使用ができて心地良く目覚め、快適に翌朝が迎えられるようにする有効な手立てはないものかとの思いを強くすることとなった。
【０００８】
（発明の目的）
この発明では、上記のような状況に鑑み、こうした要請を一挙に解決できる枕を実現すべく、逸速くその開発、研究に着手して長期に渡る試行錯誤と幾多の試作、実験とを繰り返してきた結果、今回、遂に新規な構造の枕と、その枕に有効な枕本体の新規な製造方法とを実現化することに成功したものであり、以下では、図面に示すこの発明を代表する実施例と共に、その構成を詳述していくこととする。                                                                  
【課題を解決するための手段】
【０００９】
（発明の構成）
後述する実施例からも明確に把握できるように、この発明の枕は、基本的に次のような構成から成り立っている。
即ち、人の仰臥時における両肩を載せるに十分な巾寸法で、頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とする平面形略逆Ｕの字状または逆凹の字状であって、枕に適した厚さ寸法のものに形成してなる枕本体と、該枕本体の外形全体をやや緊張気味に収容可能とし、各足部を収容する部分だけが、その先端方向に収容空間を余し、その長さが夫々前記枕本体足部長さの略半分程度に相当するようにして把持操作部となし、開閉自在の出し入れ口とする上端縁を除いて袋状に形成してなる伸縮生地製の化粧袋体とからなる構成を要旨とした枕である。
【００１０】
そして、この基本的な構成の枕には、人の仰臥時における両肩を載せるに十分な巾寸法で、頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とする平面形略逆Ｕの字状または逆凹の字状であって、枕に適した厚さ寸法のものに形成してなる枕本体と、該枕本体の外形全体をやや緊張気味に収容可能とし、各足部を収容する部分だけが、その先端方向に収容空間を余し、その長さが夫々前記枕本体足部長さの略半分程度に相当するようにして把持操作部となし、開閉自在の出し入れ口とする上端縁を除いて袋状に形成してなる伸縮生地製の化粧袋体と、該化粧袋体に前記枕本体を所定の如く収容した状態で、当該枕本体胴部に相当する化粧袋体部分に脱着自在に組み合わせ可能とする枕カバーとからなる枕が包含されている。
【００１１】
（関連する発明）                                                    
上記した構成からなる枕に関連し、この発明には、次のような構成からなる枕本体の製造方法も包含している。
即ち、人の仰臥時における両肩を載せるに十分な巾寸法で、頭頂部から二の腕全体、肘辺りに至る寸法よりも大きい丈寸法とした筒状のメリヤス生地を、中表にして下端側中央部分を所定巾分だけ下から中程まで切除し、その切り落とした部分の縁を縫い、返して半ズボン状の二股状筒体とし、詰め物を覆う外郭体とした後、枕芯に適した素材からなる詰め物を上記メリヤス製の二股状筒体で胴部となる部分の上端の開放口から中に押し込むように装填し、当該開放口か各足部下端の開放口から適宜手を差し込んで詰め物の厚さが想定した寸法どおりのものになるよう調整した上、それら開放口を縫合してしまい、メリヤス製の袋が伸び加減となって詰め物との間を密着に形成するようにした、この発明の枕に使用する枕本体の製造方法である。                                                                        
【発明の効果】
【００１２】
以上のとおりの構成からなるこの発明の枕は、枕の丈寸法を頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とする平面形略逆Ｕの字状または逆凹の字状のものとしたことから、枕は、頭を載せる胴部の下方両側の各足部が、使用者の肩から下、脇腹辺りにまで達するものとなり、多少の寝返りによってもそれら各足部は簡単には両脇の下から外れることがなく、仮令小児の使用にあっても朝まで正しく姿勢を保持して頭を胴部に載せたまま過ごすことができる上、寝返りを打って左右どちらを向いた横臥姿勢となったとしても、肩は両足部の間に落し込み、胴部で支えられている耳から上の頭部と略同じ高さに耳から下の横顔も足部に載置、支持されて安定した状態になるという特徴を発揮すると共に、顎から下に延びる足部の先端側は、恰も小さな抱き枕のように機能して、知らず知らずの中に手で抱え込む姿勢を採ることになり、特に子女にとっては寄り添って眠れる状態となって安眠が約束され、極めて心地良い眠りを持続できるという顕著な効果が得られ、更に伏臥姿勢時には、従来の額だけで支持するのとは違い、口、鼻を除く顔の殆ど全面を安定に支持する状態となって心地良い眠りも約束されることになるという大きな効果も有している。
【００１３】
そして、この発明の特筆すべき効果は、枕本体を包む化粧袋体が、当該枕本体の外形全体をやや緊張気味に収容可能とし、各足部を収容する部分だけが、その先端方向に収容空間を余し、その長さが夫々前記枕本体足部長さの略半分程度に相当するようにして把持操作部となし、開閉自在の出し入れ口とする上端縁を除いて袋状に形成してなる伸縮生地製からなる化粧袋体に形成され、この発明による枕としたときに、その両足部の先端側に詰め物の何もない伸縮生地だけからなる把持操作部、それも足部の長さの略半分程度にも達するようにした長さのものとして形成されていることから、就眠中に万が一身体からずれて正しい姿勢でなくなったときに、辺りが幾ら真っ暗闇の中で意識朦朧としている状態であったとしても、伸縮生地だけからなり、しかも十分な長さに形成された把持操作部はその特徴によつて手で弄って無意識の中にも簡単に識別できて姿勢を正すことができるものとなり、大人の場合であれば間違いなく操作して姿勢を戻すことができ、殆ど一晩中枕を頭から外してしまう虞れはなくなることから、安眠を確保して精神的、肉体的疲労の回復と健康の増進とを日々実現可能にすることになるという顕著な特徴が得られることになる。
【００１４】
また、上記したとおりの特徴を有する枕に使用する枕本体は、伸縮性に富んでいて比較的安価な筒状のメリヤス生地を採用して上下開放口側だけ裁断し、中表のままに縫合して縫い、返して所定の形状の外郭体となした上、適宜素材の詰め物をして上下開放口から手を差し入れて詰め物の入り具合を調整し、最適化した後、それら上下開放口を縫い合わせて製造するようにしたことから、所定の形状の枕本体に形成する工程が極めて簡略化できるという特徴を有するものになるだけではなく、その過程で必要となる詰め物の入り具合の調整も極めて簡単、確実なものになり、品質の良い枕をより簡便な工程で実現し得ることになって、それだけ安価で質の良い枕としての提供を確実にするという秀れた効果を奏するものとなる。                                                                                              
【発明を実施するための最良の形態】
【００１５】
上記したとおりの構成からなるこの発明の実施に際し、その最良もしくは望ましい形態について説明を加えることにする。                                                  先ず、枕本体は、使用対象となる人の頭頂部から二の腕全体、肘辺りに至る寸法よりも大きい丈寸法とした矩形体の下端縁中央から上方に向け、頭巾の半分程度の寸法巾部分を先の丈寸法の半分程度のところまで切り落としたものとし、上半分程度の横巾一杯の部分を胴部、その左右両側から下方に伸びる部分を夫々足部とするようにした、全体平面形において略逆Ｕの字状または逆凹の字状のものに形成されなければならず、胴部は、主として就寝中の頭を最適な状態に支持する機能を果たし、また、足部にあっては、胴部の下方左右両側から下方、人の肩から肘辺りまで延びて肩から脇の下、脇腹辺りまでに位置して枕が移動するのを抑止した上、時には顔の部分を自然な姿勢に支持したり、同時に抱え枕のように手で抱え込まれる対象となる機能を果たすこととなり、この発明の枕の芯体を構成するものである。
【００１６】
したがって、枕本体は、この発明で特定する所定の形状を実現し得るものである限りその素材は特に限定されず、しかも適度の弾力性を付与した、例えばウレタンフォームやその他の低反発性発泡体等それ自体で保形性を有する素材を単独でか、あるいは種類の違うもの同士を適宜組み合わせ、積層一体化したものから直接所定の形状に成形するか、または、後述の実施例のもののように、所定の形状に形成した外郭体、例えば布袋の中に、上記素材、形状によるものを挿入したり、それらの砕片、分粒体、あるいは従前から枕に使用されてきた籾殻やソバ殻、鋸屑、木片などを単独でか適宜組み合わせ、混合したものなどを充満して、当該外郭体に予め付与した所定の形状のものにするかして形成することができ、その全体の大きさ、厚さ寸法は、使用者に応じて決定されればよく、その人の仰臥時における両肩を載せるに十分な巾寸法で、頂頭部から二の腕全体、肘辺りに至る長さか、それよりもやや大きい丈寸法とした矩形輪郭、あるいは略矩形輪郭に納まるようなものに形成されれば足りる。
【００１７】
これに対し、化粧袋体は、枕本体を包んでこの発明の枕表面層を担い、枕本体を保護、整形する機能と共に装飾する機能をも果たす上、枕本体とはその足部を受け入れる部分の長さだけが当該足部の長さの約１．５倍程度のものに形成してあり、枕本体の足部を受け入れて余る部分の把持操作部が、就寝使用中に使用者からずれた場合に、あるいはずれようとした場合に、その部分を弄り探すことによって枕の姿勢を想像してズレ具合を簡単に確認できるようにする機能と共に、正しい姿勢に戻す際に掴み易くなる箇所として機能するものであり、綿ジャージーなど伸縮性と通気性と兼ね備えて枕本体との馴染みがいい丈夫な布生地を採用するのが望ましいものの、必ずしもこれに限定される訳ではなく、幼児や老人、患者用などで涎で汚しがちなる人用といった特殊用途の場合には、通気性のないシートを採用するなどの選択は自由である。
【００１８】
この化粧袋体は、所望の生地を使い、前記枕本体に被せたときに、把持操作部となる箇所以外はダブつかせず殆ど当該枕本体を緊張気味に収容して密着状となるように寸法取りした同形のものを二枚用意した上、それらを二枚重ねにした状態で上端の枕本体を挿入する箇所で、雌雄ファスナーの取着した縁部分を除く全周縁をミシン縫いして裾を綴じた半ズボンにも見紛うような仕立てをした上、全体を裏返しして完成することにより、平面形が前記枕本体に同じくした略逆Ｕの字状または逆凹の字状で、同枕本体に密着状に被せることのできるものに形成する。    
【００１９】
こうして形成される枕本体と化粧袋体とは、当該枕本体に化粧袋体を被せる、換言すれば化粧袋体の上端で雌雄ファスナーを取着した縁部分を開け、当該枕本体の足部側から挿入して同胴部が完全に化粧袋体に納まり、両足部も化粧袋体の二股部分の先端に夫々把持操作部を残して密着状とすることにより、この発明の基本的な構成からなる枕を完成するものとなるが、毎日使用して頭髪や顔が触れる化粧袋体は、頭髪料や汗で汚れたしまうため、その度に枕本体を化粧袋体から抜き出して洗う手間を省けるよう、ファスナーテープで着脱自在とした枕カバーを、それら頭髪や顔が触れそうな箇所に組み合わせて使用するようにするのが望ましい。
以下、図面に取り挙げたこの発明を代表する枕の実施例について説明を加え、上記までに説示してきたこの発明の構成がより明確なものとなるようにする。                                                              
【実施例１】
【００２０】
図１には、この発明を代表する枕の全体斜視図が、図２斜視図には、その使用状態が夫々示してあり、その各構成要素として、図３の平面図には枕本体が立体的なものとして、また図４の平面図には枕カバーとしてのカバーシートが、図５の平面図には化粧袋体が夫々示してあるとおり、この実施例では、枕本体を、逆凹の字状に縫製した布袋を外郭体とし、その中に詰め物としてナイロン綿とウレタンフォームとを積層し、略袋体の輪郭となるように切り揃えたものを装填してなるものとした事例である。
【００２１】
図３のようにした逆凹の字状となるようにした枕本体１は、使う人の肩幅よりも大きくなるよう出来上りの横巾寸法で４５ｃｍ、丈寸法で５０ｃｍ、厚さは胴部で最も厚い部分（胴部上下方向中心位置辺り）の約１０ｃｍから両足部先端に掛けて厚さを暫減して６〜７ｃｍとなるよう想定した上、先ずその条件に合うよう設定した筒状のメリヤス生地を使って丈寸法を約５５ｃｍ程度に切り揃えた上、中表にして下端側中央部分を巾１０ｃｍだけ下から２０ｃｍ程のところまで切除し、その切り落とした部分の縁を縫い、返して半ズボン状の二股状筒体とし、詰め物を覆う外郭体とする。
【００２２】
一方、図６および図７の各縦断面図に示してあるように、中心に約２ｃｍ厚程のナイロン綿層１ａを挟んで上下に夫々厚約１．５ｃｍ程度のウレタンフォーム１ｂ，１ｂを重ねた上、それらの両外側に、先の中心層と同じナイロン綿で上端側約２ｃｍ厚程のものから下端側に向かって暫減するようにしたもの１ｃ，１ｃを積層状としてから、それら積層状のままで輪郭が逆凹の字状となるように裁断（あるいは、予め各層となる素材を逆凹の字状に裁断したものを順次所定どおりに積層させてもよい。）して詰め物とし、これら詰め物を上記メリヤス製の二股状筒体で胴部１１となる部分の上端の開放口から中に押し込むように装填し、当該開放口か各足部１２，１２下端の開放口から適宜手を差し込んで詰め物の厚さが想定した寸法どおりのものになるよう調整した後、それら開放口を縫合してしまえば、メリヤス製の袋が伸び加減となって詰め物との間が密着した状態の枕本体１とする。
【００２３】
これに対し、図５の平面図に示した化粧袋体２は、綿ジャージー製で比較的伸縮性に富んだ丈夫な生地を使い、横巾約４５ｃｍ、丈約６５ｃｍに裁断した矩形のもの二枚を用意した上、二枚とも下端縁中央で巾約１０ｃｍ程を上方約４０ｃｍ程度のところまで切り落としてから、それら二枚とも中表にした状態で、夫々の上端縁外側面（夫々生地の裏側）にテープ状雌雄ファスナー２２，２２の何れか一方を直線状に縫い付けたものにすると共に、それらテープ状雌雄ファスナー２２，２２縫着縁を除く全ての周縁を縫い、返すことによって、同上端縁をテープ状雌雄ファスナー２２，２２で開閉自在とし、前記枕本体１のものよりも足部を長くし、その長くして余る部分を把持操作部２１，２１とした平面逆凹の字状の化粧袋体２とする。
【００２４】
そして、図４に示すカバーシート３は、綿布や麻布からなる晒し布や、それに使う人の好みの模様を施したもの等適宜生地で横巾約８０ｃｍ、丈約３５ｃｍのものを使い、上端縁の中央辺りに約１５ｃｍ程の間隔を開け、丈約１０ｃｍ程のテープ状雌雄ファスナーの何れか一方３１，３１を縫着する一方、これらに対応させ、何れか他方３２，３２を前記化粧袋体２の上端縁、先のテープ状雌雄ファスナー２２の縫着してない側に縫い付けられたものとし、カバーシート３が、枕本体１を覆った化粧袋体２に着脱自在となるようにする。
【００２５】
（実施例の作用）
以上のとおりの構成からなるこの発明の枕は、枕本体１を化粧袋体２の中に挿入してその上端のテープ状雌雄ファスナー２２，２２を使って閉じてしまうことにより、枕本体１の胴部１１と両足部１２，１２とが化粧袋体２で完全且つ密着状に覆われると共に、両足部１２，１２の先には、予め長く設定して余るように形成してある化粧袋体２の足部相当部分を、把持操作部２１，２１として形成されており、図２の使用状態斜視図に示すとおり、仰臥姿勢で頭を胴部１１にのせると、両足部１２，１２は肩から両脇の下で脇腹辺りにまで達して枕の移動を極力抑制し、化粧袋体２の把持操作部２１，２１は丁度肘辺りに位置して就寝中の手を曲げる動きに何等支障来すことがなく、また、就寝中に寝返って横臥姿勢になったときには、図６の一部に使用状態を加えた縦断面図に見られるように、肩を両足部１２，１２の間に落し、略耳辺りから上の側頭部は胴部１１に載せた状態で、それから下の横顔は胴部１１から足部１２に掛けて極自然な格好で支えられることになり、また、伏臥姿勢となっても、、図６の一部に使用状態を加えた縦断面図に示してあるように、口、鼻以外の顔面大部分が枕本体１の胴部１１および両足部１２，１２によって支えられて極めて安定することになる。
【００２６】
そして、就寝中も従前までのものに比較して移動し難くなっているこの発明の枕も、仮に寝返りその他の人の動きによって運悪く枕の位置がずれてしまうような事態に立ち至り、寝心地が悪くなって無意識の中に自らの手で弄って当該枕を正常な状態に戻すような仕草をとるときに、従前までの枕であれば、辺りが真っ暗闇な上に意識朦朧としている状態の中では、触るところ何処も同じようにしか認識できず、正しい姿勢になかなか戻せなかったのに対し、この発明の枕には、化粧袋体２の把持操作部２１，２１を触ってしまえば無意識の中でも枕の姿勢を大凡想定でき、その想定した姿勢から正しい姿勢に移動させるにも掴み易くなっているそれら把持操作部２１，２１の何れかを掴んで確実に誘導することができるものとなる。
【００２７】
（実施例の効果）
したがって、この実施例の枕によれば、それに必要な枕本体１を極めて簡単、効率的に作り上げることができ、しかも、詰め物も、ナイロン綿１ａ、１ｃとウレタンフォーム１ｂとが交互に５層にも積層されて適度な弾力性と共に通気性も確保され、なお且つ肌障りの良いものとなっている上、テープ状雌雄ファスナー２２，２２を使って化粧袋体２からの枕本体１の出し入れも極めて簡単で、挿入状としたときも、綿ジャージー製の弾力性ある化粧袋体２によって枕本体１が緊張状に収められ、その中で勝手に動き回りことなく一体感のあるものとなって安定した枕を実現する外、この発明の前記した効果を全て発揮するものとなっていることから、安眠効果において非常に秀れたものになっている。
【００２８】
（結  び）
叙述の如く、この発明の枕は、その新規な構成によって所期の目的を普く実現可能とするものであり、しかも、その目的達成のために欠かせない構成も比較的簡潔なものとなっていて製造容易とするもので、従来品と同等程度、あるいはそれよりも安価な価格帯での提供を可能にするものとなっていることから、高度経済成長して益々複雑化していく科学文明全盛の社会の中で、人々がストレス解消のための有力な解消手段としなければならない睡眠を一晩中心地良いものに保証するものとなってその効能が高い評価を受け、多くの人々から広く受け入れられるものになると予想される。                                                                              
【図面の簡単な説明】
【００２９】
図面は、この発明の枕、およびそれに使用する枕本体の製造方法に係わる代表的な具体例を示したものである。
【図１】この発明を代表する枕の全体斜視図である。
【図２】その使用状態を示す斜視図である。
【図３】この発明の枕の構成要素の一つである枕本体を立体的に表した平面図である。
【図４】この発明の枕の構成要素の他の一つである枕カバーの平面図である。
【図５】この発明の枕の構成要素の残る他の一つである化粧袋体の平面図である。
【図６】他の使用状態を示す、一部に使用状態を含む縦断面図である。
【図７】更に他の使用状態を示す、同じく一部に使用状態を含む縦断面図である。
【符号の説明】
【００３０】
１          枕本体
１１        同  胴部
１２        同  足部
１ａ        同  ナイロン綿
１ｂ        同  ウレタンフォーム
１ｃ        同  ナイロン綿
２          化粧袋体
２１        同  把持操作部
２２        同  テープ状雌雄ファスナー
３          カバーシート（枕カバー）
３１        同  テープ状雌雄ファスナーの何れか一方
３２        同  テープ状雌雄ファスナーの何れか他方
【図１】
2006102041.tif 000003
【図２】
2006102041.tif 000004
【図３】
2006102041.tif 000005
【図４】
2006102041.tif 000006
【図５】
2006102041.tif 000007
【図６】
2006102041.tif 000008
【図７】
2006102041.tif 000009